(57)【要約】【課題】本発明の目的は、回路基板の中継接続端子を省略し、小型化や回路設計の容易化を図った電気接続箱を提供することにある。【解決手段】複数の回路基板３が積層され、かつ少なくとも一つ以上のリレー４が使用されている電気接続箱１において、リレー４は回路基板間に挟まれていると共に、リレー４を挟んだ回路基板に電気的かつ機械的に接続されていることを特徴とする電気接続箱である。これにより、電気接続箱の小型化および回路基板の設計の容易化を図ることができる。【選択図】  図１
2004229465.tif 000002
【特許請求の範囲】
【請求項１】
複数の回路基板が積層されかつ少なくとも一つ以上のリレーが使用されている電気接続箱において、前記リレーは回路基板間に挟まれていると共に、該リレーを挟んだ回路基板に電気的かつ機械的に接続されていることを特徴とする電気接続箱。
【請求項２】
請求項１に記載の電気接続箱であって、複数の回路基板を信号用基板と電源用基板の用途別に分けたことを特徴とする電気接続箱。
【発明の詳細な説明】
【０００１】
【発明の属する技術分野】
本発明は、車両等に搭載される電気接続箱に関する。特に、電子回路を構成する回路基板と配線板組立体、ヒューズ、リレー等の各種の基板搭載部品を設置した電気接続箱に関する。
【０００２】
【従来の技術】
図８は従来の電気接続箱の一例を示す。電気接続箱２０は、カバー２内に、両側の面に導体パターンが形成された両面板からなる二枚の回路基板３を収納した構成を有している。二枚の回路基板３の導体パターンには薄銅箔が用いられており、いずれの回路基板も図７に示すように薄銅箔の幅を小さくして断面積を小さくした導体パターン３６からなる小電流を通電する信号用電気回路と、薄銅箔の幅を大きくして断面積を大きくした導体パターン３５からなる大電流を通電する電源用電気回路の両方が、前記回路基板上に混在して構成されている。２９は絶縁基板である。
【０００３】
前記回路基板３のうち少なくとも一つの回路基板には、リレー１９やヒューズ５、その他の各種の基板搭載部品６が設置されている。７は、接続端子である。
【０００４】
前記二枚の回路基板３は、回路基板面を平行に向かい合わせて隙間を開けた積層状態に配置され、前記回路基板３の導体部に接続された金属製の中継接続導体２１を介して電気的及び機械的に接続されている。また、リレー１９やヒューズ５、その他の各種の基板搭載部品６は前記回路基板３の外側方向に向けて設置されている。
【０００５】
ここで、電気的な接続とは、電気接続箱が要求された動作を実行するために必要とする電気的なやり取りが行われることを目的とした接続のことをいい、機械的な接続とは、回路基板相互が動かないように両者の位置を固定することを目的とした接続のことをいう。
【０００６】
リレー１９は、電気信号により電気回路の接点の開閉を行い、装置の動作の制御を行うために用いられる。図５に従来の一般的なリレー１９の模式図を示す。リレー１９は、電気回路の接点の開閉を行うための電磁コイル１２の接続端子１３と接点１４の接続端子１５を一枚の回路基板３上に設置する構造を有している。
【０００７】
なお、ここでは二枚の回路基板で構成された電気接続箱を例としているが、三枚以上の積層された回路基板で構成された電気接続箱であっても同様である。
【０００８】
【発明が解決しようとする課題】
しかしながら、上述のように従来の電気接続箱２０は回路基板３の間にスペース２２を設け、かつリレー１９等を回路基板３の外側方向に向けて設置する構造であるため、電気接続箱を小型化する上で制約が存在するという問題があった。また、近年の電気接続箱の多機能化に伴い回路基板が複雑化しており、回路基板の設計を容易とした電気接続箱の開発が要望されていた。
【０００９】
【課題を解決するための手段】
請求項１の発明は、複数の回路基板が積層され、かつ少なくとも一つ以上のリレーが使用されている電気接続箱において、前記リレーは回路基板間に挟まれていると共に、該リレーを挟んだ回路基板に電気的かつ機械的に接続されていることを特徴とする電気接続箱である。
【００１０】
前記リレーは、二枚の回路基板間に挟まれた位置に配置させた際に前記二枚の回路基板に電気的かつ機械的に接続することが可能となる構造を有している。本発明の電気接続箱では、前記リレーを用いた回路基板で構成されており、リレーを回路基板間に挟み、かつ該リレーを回路基板に電気的かつ機械的に接続すると、従来の電気接続箱に存在していた回路基板間のスペースを有効に利用でき、電気接続箱の小型化が可能となる。
【００１１】
請求項２の発明は、請求項１に記載の電気接続箱であって、複数の回路基板を信号用基板と電源用基板の用途別に分けたことを特徴とする電気接続箱である。
【００１２】
このように、複数の回路基板を信号用基板と電源用基板の用途別に分けると、回路基板の設計を容易に行うことができる。
【００１３】
【発明の実施の形態】
本発明の実施形態を図面に基づいて以下に説明する。
【００１４】
図４は、本発明の電気接続箱において使用されるリレー４を示す。このリレー４は、接続端子１３、１５を二枚の異なる回路基板３に電気的かつ機械的に接続することができる構造を有している。従って、二枚の回路基板３の間に挟まれた場所に配置されたリレー４を介在させることにより、二枚の回路基板３の間を電気的かつ機械的に接続することが可能となる。ここで、図４及び上述の図５は、リレーにおける電磁コイルの接続端子や接点の接続端子の位置関係を表す目的で模式的に示されたものであり、リレーの内部やその他の部位の構造を明確に示したものではなく、前記リレーの内部やその他の部位の構造については特に問わない。
【００１５】
本発明の電気接続箱１は、図１に示すように、二枚の回路基板３の間にリレー４やヒューズ５、その他の各種の基板搭載部品６を配置し、かつ前記リレー４を該リレーを挟んだ回路基板間に電気的かつ機械的に接続することにより構成されている。なお、二枚の回路基板３はいずれも両側の面に導体パターンが形成された両面板からなっている。また、図１において、２はカバーであり、７は接続端子である。この構造により、図８に示すような従来の電気接続箱２０に存在していた回路基板３の間のスペース２２を有効に利用することができ、電気接続箱の小型化が可能となる。なお、リレー４の取り付けにおいては位置のずれを防ぐために、リレーの表面１０と回路基板３を接着剤９で接着するなどの固定手段により、位置を固定することが望ましい。
【００１６】
図２は本発明の他の実施形態の電気接続箱１１を示すもので、図１と異なる点はヒューズ５を回路基板間に挟まないようにした点である。このように構成すると、ヒューズの着脱が容易となる。なお、図２において、図１と同一物には同一の符号を付して説明を省略する。
【００１７】
図３は本発明の他の実施形態の電気接続箱１８を示すもので、図１と異なる点は、信号用電気回路と電源用電気回路を、それぞれ薄銅箔からなる小電流用回路基板で構成される信号用基板１６と厚銅箔からなる大電流用回路基板で構成される電源用基板１７に分けて構成した点である。リレーの電気回路の接点の開閉を行うための信号入力を行う側の端子、すなわち電磁コイル１２側の接続端子１３を前記信号用基板１６に接続し、一方、リレーの電気回路の接点１４を有する側の接続端子１５を電源用基板１７に接続する構成となっている。なお、図３において、図１と同一物には同一の符号を付して説明を省略する。
【００１８】
このように、用途別に複数の回路基板を設けること等により、近年の電気接続箱の多機能化に伴い回路基板が複雑化することに対して、回路設計が容易となった電気接続箱を提供することができる。また、大電流用回路基板を従来の図７に示すような薄銅箔から構成されており幅を大きくすることで断面積を大きくさせた導体パターン３５の構造から、図６に示すような厚銅箔から構成されており断面積をそのままにして幅を小さくさせた導体パターン３０の構造にすることによって、従来の回路基板と比較して基板面積を削減することができる。なお、図６において、２９は絶縁基板である。
【００１９】
【発明の効果】
以上のように、請求項１の発明によれば、従来無駄であった電気接続箱内のスペースを有効に利用することができ、電気接続箱本体の小型化を図ることができる。
【００２０】
請求項２の発明によれば、電気接続箱内における各回路基板の大きさや配置を設計する際の自由度が増すため、電気接続箱の多機能化に伴い複雑化する回路基板の設計の効率化、簡易化を図ることができる。また、薄銅箔の幅を大きくした従来の回路基板と比較して基板面積を削減することができる。
【図面の簡単な説明】
【図１】本発明の一実施形態の電気接続箱を示す概略断面図である。
【図２】本発明の他の実施形態の電気接続箱を示す概略断面図である。
【図３】本発明の他の実施形態の電気接続箱を示す概略断面図である。
【図４】本発明の電気接続箱において使用されるリレーを示す概略断面図である。
【図５】従来の電気接続箱において使用されるリレーを示す概略断面図である。
【図６】本発明の図３に示す実施形態の電気接続箱に使用される大電流用の回路基板を示す概略断面図である。
【図７】従来の電気接続箱に使用される回路基板を示す概略断面図である。
【図８】従来の電気接続箱を示す概略断面図である。
【符号の説明】
１  電気接続箱
２  カバー
３  回路基板
４  リレー
５  ヒューズ
６  各種の基板搭載部品
７  接続端子
９  接着剤
１０  リレーの表面
１１  電気接続箱
１２  電磁コイル
１３  接続端子
１４  接点
１５  接続端子
１６  信号用基板
１７  電源用基板
１８  電気接続箱
２９  絶縁基板
３０，３５，３６  導体パターン
【図１】
2004229465.tif 000003
【図２】
2004229465.tif 000004
【図３】
2004229465.tif 000005
【図４】
2004229465.tif 000006
【図５】
2004229465.tif 000007
【図６】
2004229465.tif 000008
【図７】
2004229465.tif 000009
【図８】
2004229465.tif 000010